(57)【要約】【課題】ウィンドファームで複数の風力発電装置について同時カットアウトが発生した場合にウィンドファーム全体としての出力急減を緩和する。【解決手段】  風力発電装置と、  前記風力発電装置を複数台制御する集中制御装置とを有するウィンドファームであって、  前記集中制御装置は、同時若しくは所定期間の間に、２台以上の前記風力発電装置がカットアウト風速に到達し、若しくは超過し、若しくはシャットダウン要求を出した場合、前記同時若しくは所定期間の間にカットアウト風速に到達し、若しくは超過し、若しくはシャットダウン要求を出した風力発電装置の台数より少ない台数の風力発電装置を、停止許可するように制御することを特徴とするウィンドファーム。【選択図】図１１
2019074066.tif 000002
【特許請求の範囲】
【請求項１】
風力発電装置と、
前記風力発電装置を複数台制御する集中制御装置とを有するウィンドファームであって、
前記集中制御装置は、同時若しくは所定期間の間に、２台以上の前記風力発電装置がカットアウト風速に到達し、若しくは超過し、若しくはシャットダウン要求を出した場合、前記同時若しくは所定期間の間にカットアウト風速に到達し、若しくは超過し、若しくはシャットダウン要求を出した風力発電装置の台数より少ない台数の風力発電装置を、停止許可するように制御することを特徴とするウィンドファーム。
【請求項２】
請求項１に記載のウィンドファームであって、
前記集中制御装置は、前記同時若しくは所定期間の間にカットアウト風速に到達し、若しくは超過し、若しくはシャットダウン要求を出した風力発電装置を順序付けし、順序付けした順序に基づき前記風力発電装置を停止するように制御することを特徴とするウィンドファーム。
【請求項３】
請求項１または請求項２に記載のウィンドファームであって、
前記風力発電装置は、カットアウト風速に到達し、若しくは超過した以降、集中制御装置が当該風力発電装置に停止許可を送信し若しくは停止するように制御するまでの間、発電出力を所定の割合で制限する事を特徴とするウィンドファーム。
【請求項４】
請求項２に記載のウィンドファームであって、
前記順序を風向と前記風力発電装置の配置に基づき決める事を特徴とするウィンドファーム。
【請求項５】
請求項１から請求項４のいずれか１項に記載のウィンドファームであって、
前記集中制御装置は、複数の前記風力発電装置からの風速の情報を得て、前記風速の情報に基づき、複数の前記風力発電装置に対する停止を指示することを特徴とするウィンドファーム。
【請求項６】
請求項５に記載のウィンドファームであって、
前記集中制御装置は、前記風力発電装置からのシャットダウン要求に変えて、前記風速の情報の伝達に基づきシャットダウン要求があったと判断することを特徴とするウィンドファーム。
【請求項７】
請求項２に記載のウィンドファームであって、
前記風力発電装置は、停止予定時刻、若しくは遅延時間を設定し、前記集中制御装置に伝達し、
前記集中制御装置は、前記停止予定時刻、若しくは遅延時間に基づき前記順序を設定することを特徴とするウィンドファーム。
【請求項８】
請求項２から請求項７のいずれか１項に記載のウィンドファームであって、
前記集中制御装置は、カットアウト風速に到達し、若しくは超過し、若しくはシャットダウン要求を出した複数の前記風力発電装置について、停止順番リストを作成し、停止済風力発電装置の前記停止順番リストからの削除、並びにカットアウト風速に到達し、若しくは超過し、若しくはシャットダウン要求を出したことの事象を新たに生じた風力発電装置の前記停止順番リストへの追加、順番見直しを管理することを特徴とするウィンドファーム。
【請求項９】
請求項２から請求項８のいずれか１項に記載のウィンドファームであって、
前記集中制御装置は、停止する順序を、前記風力発電装置の余寿命若しくは疲労状況に基づき決定することを特徴とするウィンドファーム。
【請求項１０】
複数の風力発電装置を備えたウィンドファームの制御方法であって、
同時若しくは所定期間の間に、２台以上の前記風力発電装置がカットアウト風速に到達し、若しくは超過し、若しくはシャットダウン要求を出した場合、前記同時若しくは所定期間の間にカットアウト風速に到達し、若しくは超過し、若しくはシャットダウン要求を出した風力発電装置の台数より少ない台数の風力発電装置を停止することを特徴とするウィンドファームの制御方法。
【請求項１１】
タワーと、
前記タワー上に回転可能に設けられたナセルと、
前記ナセルの一端に回転可能に設けられ、風を受けて発電機を駆動するロータと、
周囲の風速の情報を取得し、前記風速の情報に基づき前記ロータの回転を減速する制御を行う個別制御装置と、を備えた風力発電装置と、
複数の前記風力発電装置にそれぞれ設けられた前記個別制御装置と通信ネットワークを介して接続された集中制御装置とを有するウィンドファームであって、
前記個別制御装置は、前記風速が、あらかじめ決められたカットアウト風速以上になる事象が生じたときに、前記集中制御装置に運転状態変更の要求に関連する信号を発信し、
前記集中制御装置は、同時若しくは所定期間の間に受信した複数の前記運転状態変更の要求を順序付けし、前記順序に基づき前記個別制御装置に運転状態変更を許可する信号を発信し、
前記個別制御装置は、前記許可する信号に基づき前記風力発電装置の運転状態を変更することを特徴とするウィンドファーム。
【請求項１２】
請求項１から請求項９のいずれか１項に記載のウィンドファームであって、
前記風力発電装置は、停止予定時刻若しくは遅延時間を設定し、
前記風力発電装置は、前記停止予定時刻若しくは遅延時間が経過するまでに前記集中制御装置から停止を許可する信号を得られなかった場合は、発電停止動作を開始することを特徴とするウィンドファーム。
【請求項１３】
請求項１から請求項９のいずれか１項に記載のウィンドファームであって、
複数の前記風力発電装置は、少なくとも２つ以上の異なるカットアウト風速が設定されることを特徴とするウィンドファーム。
【請求項１４】
請求項１から請求項９のいずれか１項に記載のウィンドファームであって、
前記集中制御装置は、複数の前記風力発電装置のうちいずれかが停止開始された後、所定期間経過した後、前記複数の前記風力発電装置のうち他の発電装置について停止開始するように制御することを特徴とするウィンドファーム。
【発明の詳細な説明】
【技術分野】
【０００１】
本発明は、複数の風力発電装置を備えるウィンドファーム及びその制御方法であって、特に風速に応じて風力発電装置の運転を停止するウィンドファーム及びその制御方法に関する。
【背景技術】
【０００２】
近年、地球温暖化対策の一つとして、風力発電の導入が世界的に盛んに行われている。風力発電は、費用対効果の観点から、一定の地域に複数台の風力発電装置を設け、大量の風力発電装置群を一括して運用するウィンドファームとして設置されることが多くなっている。
【０００３】
ウィンドファームの制御として、例えば、特許文献１には、それぞれの風力発電設備の風速をモニタし、各風車風速の時間平均値が閾値を超えた場合に、ウィンドファーム全体の出力低下率が大きくなり過ぎないように各風車の運転状態を変更させることにより、急激な出力変動を防止する技術が開示されている。
【先行技術文献】
【特許文献】
【０００４】
【特許文献１】特開２００６−１７０２０８号公報
【発明の概要】
【発明が解決しようとする課題】
【０００５】
風力発電装置は、風況の状況により発電出力が変動するので、電力系統への導入がさらに増えた場合の電力系統の電圧や周波数の維持に関する影響が懸念されている。
【０００６】
風力発電装置は、羽根のピッチ角を変えて、回転を一定に保ったり、発電機の励磁電流を変えたりして、発電出力を一定に制御する。これにより、風力発電装置は、風速が定格風速に達するまでは風速の増大と共に出力が増加し、さらに風速が増大すると、そのカットアウト風速までは定格出力で運転するように構成されている。このカットアウト風速は、一般的に、風力発電装置の機器に作用する機械的負荷により蓄積される機械的構成要素の疲労予測に所定の安全率を見込んだ値や、機器交換頻度の経済性等に基づき、所定の風速に設定されている。
【０００７】
風力発電装置は、多くの場合、カットアウト風速よりも速い風速において、機器保護のために停止させる安全機能が設けられている。この停止の時、風力発電装置は、出力が定格出力から出力ゼロへと急激に変動する。この点について、ウィンドファームにおいて複数の風力発電装置が一斉にカットアウト風速に達して停止した場合には、ウィンドファーム全体の出力変動はきわめて大きくなる。
【０００８】
一方、複数の風力発電装置が連系される電力系統は、風力発電装置の出力変動があっても需給調整に支障が出ないように、発電所等の設備容量を十分に確保する必要がある。しかしながら、風力発電装置の導入量が増え、ウィンドファームの規模が大きくなると、電力系統を維持する電力会社の設備負担が大きくなる問題がある。このため、電力会社は、連系される風力発電装置の台数を制限し、あるいはウィンドファームの出力変動が所定の範囲に収まるよう、変動抑制対策を風力発電事業者に対して求めるようになってきている。
【０００９】
これまで、強風時のウィンドファームの出力変動の緩和方法として、種々の提案がなされている。
【００１０】
特許文献１に開示された技術では、ウィンドファーム全体の発電量低下率を周期的に算出しながら監視して各風車の停止判断をしているため、算出する低下率の条件を満たす範囲内で、過渡的にはウィンドファームコントローラが停止許可する風車が短時間で複数生じ、発電量変動が大きくなってしまう可能性がある。
【００１１】
また、特許文献１に開示された技術では、停止許可する順序をタービン制御システムが出力したパラメータを使って決定しているため、地理的特徴や風況傾向等により停止を保留される風車が特定の風車群に集中してしまう可能性がある。
【００１２】
以上のことから本発明においては、ウィンドファームで複数の風力発電装置について同時カットアウトが発生した場合にウィンドファーム全体としての出力急減を緩和することが可能なウィンドファーム及びその制御方法を提供することを目的としている。
【課題を解決するための手段】
【００１３】
以上のことから本発明においては「風力発電装置と、風力発電装置を複数台制御する集中制御装置とを有するウィンドファームであって、集中制御装置は、同時若しくは所定期間の間に、２台以上の前記風力発電装置がカットアウト風速に到達し、若しくは超過し、若しくはシャットダウン要求を出した場合、同時若しくは所定期間の間にカットアウト風速に到達し、若しくは超過し、若しくはシャットダウン要求を出した風力発電装置の台数より少ない台数の風力発電装置を、停止許可するように制御することを特徴とするウィンドファーム。」としたものである。
【発明の効果】
【００１４】
ウィンドファームで複数の風力発電装置について同時カットアウトが発生した場合にウィンドファーム全体としての出力急減を緩和することが可能なウィンドファームの制御装置及びその制御方法を提供することができる。
【図面の簡単な説明】
【００１５】
【図１】図１０の制御部３１におけるシャットダウン順序決定処理における具体的な処理内容を示す図。
【図２】本発明が適用される一般的なウィンドファームの構成例を示す図。
【図３】風力発電装置１ａ、１ｂ、１ｃ、１ｄの代表的な構成事例を示す図。
【図４】個別制御装置９における、カットアウト風速到達時処理内容を示すフロー図。
【図５】風力発電装置１における風力発電装置単機での出力特性を示す図。
【図６】ウィンドファーム１００における複数風力発電装置での合成出力特性を示す図。
【図７】本発明を採用しない場合における風速Ｖが停止風速Ｖ２（カットアウト風速）を超過する前後でのウィンドファーム１００の出力変化を示した図。
【図８】本発明において標榜する風速Ｖが停止風速Ｖ２（カットアウト風速）を超過する前後の時刻Ｔでのウィンドファーム１００の出力変化を示した図。
【図９】図８の順次停止を採用したときのウィンドファーム１００における複数風力発電装置での合成出力特性を示す図。
【図１０】本発明に係る集中制御装置２０の構成を示すブロック図。
【図１１】風力発電装置１の個別制御装置９と集中制御装置２０による協調動作を簡潔に記載した図。
【図１２】本発明の実施例２に係る集中制御装置２０の構成を示すブロック図。
【図１３】実施例３における風力発電装置１の個別制御装置９と集中制御装置２０による協調動作を簡潔に記載した図。
【図１４】実施例１における集中制御装置２０におけるフロー図。
【発明を実施するための形態】
【００１６】
以下、本発明の実施例について図面を用いて説明する。
【００１７】
その前に本発明の前提となる事項について説明をしておく。まず、風力発電装置のカットアウトは風力発電装置単機の自律的保護動作により行われる。また風力発電装置のカットアウトは、ウィンドファーム全体で、複数台が同時に発生し得る。さらに風力発電装置の風力発電装置単機は、自機の状況（疲労損傷度）によってカットアウトの遅延が可能であり、遅延させても機器の長期運転上は問題がない、或は許容されるものとする。
【実施例１】
【００１８】
図２は、本発明が適用される一般的なウィンドファームの構成例を示している。
【００１９】
ウィンドファーム１００は、複数の風力発電装置１ａ、１ｂ、１ｃ、１ｄ、風力発電装置１ａ、１ｂ、１ｃ、１ｄを制御する個別制御装置９ａ、９ｂ、９ｃ、９ｄ、所内変電設備４０、ウィンドファーム１００を制御する集中制御装置２０などにより構成されている。
【００２０】
またウィンドファーム１００では、各風力発電装置１ａ、１ｂ、１ｃ、１ｄの発電出力Ｐａ、Ｐｂ、Ｐｃ、Ｐｄが構内の一箇所、例えば所内変電設備４０で接続され、ウィンドファーム１００の合計出力として、送電線９０を介して電力系統５０に接続され、ウィンドファーム１００で発電された電力は電力系統を経て需要家３０に対して供給されている。なお、集中制御装置２０と、各風力発電装置１ａ、１ｂ、１ｃ、１ｄ内の個別制御装置９ａ、９ｂ、９ｃ、９ｄの間は、通信ネットワーク１５により接続され、相互の間での情報通信を実施している。
【００２１】
図３は、風力発電装置１ａ、１ｂ、１ｃ、１ｄの代表的な構成事例を示している。図３の風力発電装置１は、タワー８と、タワー８上に回転可能に設けられたナセル５と、ナセル５内に設置された発電機６と、発電機６を駆動するロータ４を主要な構成としており、ロータ４は複数のブレード２とハブ３と回転軸により構成される。ハブ３に固定された３枚のブレード２が回転することで発電機６を駆動し、電力Ｐを発生する。
【００２２】
風力発電装置１の例えばナセル５内には、当該風力発電装置１（１ａ、１ｂ、１ｃ、１ｄ）についての個別制御装置９（９ａ、９ｂ、９ｃ、９ｄ）が収納されている。個別制御装置９は、ロータ回転軸の回転速度を検出する回転速度検出器１０で検出したロータ回転速度や、や風況計１１等で検知した風速、風向の情報を用いて、ブレード２のピッチ角制御部７に制御信号を与える。ブレード２のピッチ角を変更することで、ロータの回転速度制御をすることができる。また個別制御装置９は、ナセル５の向きを変更するヨーモータを制御することでヨー角度を調整することができる。風況計１１は、風力発電装置１の近傍として、例えばナセル５上に設置され、風力発電装置１が受ける風向・風速と気圧などを測定する。また個別制御装置９は、状況に応じてブレード２のピッチ角をフェザー若しくはストールする角度に制御し、ロータ４の回転速度を減速させ、場合によってはロータ回転の慣性ブレーキ装置１６を用いて、ブレードの回転を停止／減速することができ、その後、手動又は自動によりロータロックでロータ回転を固定できる。
【００２３】
図３に示すように、風力発電装置１ａ、１ｂ、１ｃ、１ｄでは、それぞれの風況計１１と、それぞれの個別制御装置９ａ、９ｂ、９ｃ、９ｄとが接続されている。また図２に示すように、個別制御装置９ａ、９ｂ、９ｃ、９ｄは、通信ネットワーク１５を介して、集中制御装置２０に接続される。なお、集中制御装置２０内には記憶装置（図示せず）が接続されており、各風力発電装置１ａ、１ｂ、１ｃ、１ｄの運転情報を逐次記憶している。
【００２４】
以上のように構成された本発明の個別制御装置９は、風況計１１で検知した風速が、予め設定された各風力発電装置のカットアウト風速に到達した場合、停止指令をピッチ角制御装置７若しくはブレーキ装置１６に与え、ブレード２の回転を停止させ、発電機６の発電制御を停止させる前に、まず集中制御装置２０側に停止要望を伝え、集中制御装置２０側からの停止許可をもって、具体的な停止行動に移る。
【００２５】
図４は、個別制御装置９における、カットアウト風速到達時処理内容を示すフロー図である。図４のフローは、例えば１秒周期で起動され、最初の処理ステップＳ９０では、個別制御装置９が風況計１１から風向、風速の情報を入手し、処理ステップＳ９１では、所定時間として例えば直近１０分間についてナセル風速の平均値を求める。平均値導出処理は、例えば毎周期ごとの１０分間の移動平均により求めることができる。
【００２６】
処理ステップＳ９２では、求めた平均風速と予め設定されたカットアウト風速を比較し、カットアウト風速を超えたことを検知する。この検知は、この状態がさらに継続することをもって確認するものであってもよい。カットアウト風速を超えないときには、最初の処理ステップＳ９０にもどり、周期ごとに処理ステップＳ９０から処理ステップＳ９２までの処理を繰り返し実行する。
【００２７】
このカットアウト風速を超えたかどうかの検知は、超えた状態が継続することを確認するために平均風速と比較したが、他の統計値や瞬間風速等に基づく検知であってもよい。
【００２８】
風速がカットアウト風速を超えたときは、処理ステップＳ９３に移り、通信ネットワーク１５を介して集中制御装置２０に、この風力発電装置１の停止要望を伝送する。その際に、例えば風力発電装置１ａにおける風向、風速の情報を同時に伝送することもできるし、平均風速がカットアウト風速を超え風向、風速の情報を伝送することで、当該風力発電装置１ａの停止を要するメッセージに変えてもよい。この風力発電装置１ａは、停止要望を伝送したのち、処理ステップＳ９４において待機状態に入る。つまり、平均風速がカットアウト風速を超えたとしても直ちにピッチ制御装置若しくはブレーキ装置１６を制御してこの風力発電装置１ａの発電運転を停止するのではなく、集中制御装置２０に報告し、その指示に従うようにされている。
【００２９】
処理ステップＳ９５で、集中制御装置２０からの返信があった場合は、処理ステップ９６で返信の内容が当該風力発電装置１の停止を許可する停止許可信号か待機信号か確認して、停止許可信号であった場合は次の処理ステップＳ９７に移り、待機信号だった場合は待機を継続する。処理ステップＳ９７において、個別制御装置９はピッチ制御装置に制御指令を伝送し、場合によっては慣性ブレーキ装置１６を駆動してこの風力発電装置１ａのロータ回転及び発電運転を停止する。停止を確認した後は、処理ステップＳ９８において、停止完了報告を集中制御装置２０に送信する。
【００３０】
なお、ここでいう待機とは、発電継続することをいう。具体的には例えば、停止要望を伝送した際の風車の運転状態を継続させる。また別の形態として、待機の状態において各風力発電装置は、あらかじめ決められた割合で出力を制限するようにしてもよい。また、本実施例では、集中制御装置２０が待機信号を返す場合について説明したが、許可信号のみを返すようにしてもよい。
【００３１】
なお、図４のフロー図は停止操作を主眼とする部分のみを抽出して示したものであるため、一部説明を割愛しているが、通常運転時においても、適宜通信ネットワーク１５を介して集中制御装置２０との間での情報伝送を行っている。
【００３２】
なお、上述の説明では停止許可が集中制御装置２０から返信されるまで待機するとしたが、待機中に更に高速な限界風速を超えた場合は、保護のため許可を待つことなく停止するようにしてもよい。
【００３３】
図１４は本実施例の集中制御装置２０における、カットアウト風速到達時処理内容を示すフロー図である。まず処理Ｓ０１において、図４で説明した個別制御装置９での処理により、集中制御装置２０は個別制御装置９から適宜停止要望を受信する。処理Ｓ０２において、同時に若しくは所定の短期間の間に複数の個別制御装置９から停止要望を受信したか確認する。一つの個別制御装置９からのみ停止要望を受信した場合は、処理Ｓ０３において、停止許可指令を当該個別制御装置９に送信する。複数の個別制御装置９から停止要望を受信した場合は、処理Ｓ０４において、いずれか一つの個別制御装置９を選択して停止許可指令を送信し、停止要望を受信したか確認する処理Ｓ０１に戻る。この処理ループは所定の時間周期で行ってもよい。以上の制御により、複数の個別制御装置９において偶発的に同時に若しくは短時間に集中して停止判断された場合であっても、集中制御装置２０が停止許可を同時に送信しないように処理するため、ウィンドファーム全体として急な発電量変動を抑制することができる。
【００３４】
また、図１４において１台ずつ停止許可を送信したが、例えば２台以上ずつ停止許可を出すこともできる。言い換えると、複数台から同時若しくは所定の期間に停止要望を受けた場合は、同時若しくはその期間に停止要望を受けた台数より少ない台数の風車に対して停止許可を出す。また、言い換えると、複数台から同時若しくは所定の期間に停止要望を受けた場合は、少なくとも１台以上の風車について停止許可を出さない。また、本実施例では停止要求について説明したが、他の運転状態変更要求に変えた場合でも同種の効果を奏する。
【００３５】
図５は、風力発電装置１における風力発電装置単機での出力特性を示しており、風力発電装置の風速［ｍ／ｓ］と出力［Ｗ］との関係を示す特性図である。横軸が風速Ｖで、縦軸が風力発電装置単機での出力Ｐであり、縦軸上に定格電力Ｐｒａｔｅｄを表記している。
【００３６】
一般に、
風の運動エネルギー＝（１／２）×「風の質量［ｋｇ］」×「風速の２乗」
単位時間あたりの風の質量［ｋｇ／ｓ］＝断面積［ｍ２］×空気密度［ｋｇ／ｍ３］×風速［ｍ／ｓ］
であるので、
風のパワー［Ｗ］＝（１／２）×「断面積［ｍ２］×「空気密度［ｋｇ／ｍ３］」×「風速［ｍ／ｓ］の３乗」
となる。したがって、風力発電装置１ａ、１ｂ、１ｃ、１ｄは、風速Ｖが風力発電装置の定格風速Ｖ１に達するまでは、出力係数や変換効率の変動によるが、風速の３乗に略比例するように出力が増加する。
【００３７】
風速Ｖがさらに増大すると、風力発電装置１ａ、１ｂ、１ｃ、１ｄは、ブレードピッチ角やトルクを調整することにより回転周波数を制御可能なのでカットアウト風速Ｖ２までは定格出力（１００％）で運転（定格運転）するように構成されている。具体的に、例えば風力発電装置が回転し始める発電開始（カットイン）の風速Ｖ０は３ｍ／ｓであり、定格風速Ｖ１は１２ｍ／ｓであり、停止風速Ｖ２（カットアウト）は、２５ｍ／ｓである。なお、風力発電装置のカットアウト風速は、風力発電装置に作用する機械的負荷によって生じる、機械的構成要素の疲労限界値に対して所定の安全率を確保できる風速、若しくは機器交換等の経済性に基づき設定する風速である。また、定格運転における発電出力は、所定範囲内の変動があってもよいが、定格風速とカットアウト風速の間は略一定であるのが望ましい。安全機能として、カットアウト風速となる風速Ｖ２よりも速い風速（停止風速）では、風力発電装置１ａ、１ｂ、１ｃ、１ｄは、機器保護のために停止させられる。
【００３８】
ウィンドファーム内の各風力発電装置について、後記する風速の閾値は、定格風速Ｖ１より大きく、停止風速Ｖ２（カットアウト風速）よりも低いある値に設定されてもよいし、カットアウト風速若しくはそれ以上に設定されていてもよい。
【００３９】
図６は、ウィンドファーム１００における複数風力発電装置での合成出力特性を示しており、風力発電装置の風速［ｍ／ｓ］と出力［Ｗ］との関係を示す特性図である。横軸はウィンドファームの代表的な風速Ｖを、縦軸はウィンドファーム１００における複数風力発電装置（ここでは例示として４台としている）の合成出力４ＸＰを示しており、縦軸上に４台分の定格電力の合成出力として４ＸＰｒａｔｅｄを表記している。
【００４０】
この図では、４台の風力発電装置による合成出力としての特性を示しているが、ウィンドファームを構成する個々の風車は地理的に近接して設置される場合が多く、各風車が個別に制御判断をしていた場合であっても、合成出力として、基本的には図５の風力発電装置単機での出力特性と同様の傾向となるため、ここでの説明を割愛する。
【００４１】
図５、図６では、停止風速Ｖ２（カットアウト風速）よりも低い風速での運転について説明したが、図７、図８、図９では、ウィンドファーム１００における複数風力発電装置の場合の、停止風速Ｖ２（カットアウト風速）よりも高い風速での運転について説明する。
【００４２】
まず図７は、比較例として本実施例制御を採用しない場合における、風速Ｖが時間経過にしたがって増加し停止風速Ｖ２（カットアウト風速）を超過する前後の時刻Ｔでのウィンドファーム１００の出力変化を示した図である。停止風速Ｖ２に至る前の状態（Ｔ１−Ｔ２間）では、個別制御装置９はブレード２のピッチ角を可変とし、あるいは、トルクを調整することで、個々に出力一定を図り、結果としてウィンドファーム１００の合成出力として４ＸＰｒａｔｅｄを実現している。
【００４３】
これに対し、風速Ｖが停止風速Ｖ２（カットアウト風速）を超過した時刻Ｔ２では、近隣に設置された各風車の個別制御装置９はそれぞれ風速超過を検知し、集中制御装置２０が設けられていない場合は特に伝達なく、集中制御装置２０が設けられているが本実施例のファーム制御が実装されていない場合は停止要望（シャットダウン要求ＳＴ）を集中制御装置２０に伝達し、集中制御装置２０が個々の要望に対して即座に停止許可を与える。そのため、ほぼ同時刻に全ての風力発電装置１ａ、１ｂ、１ｃ、１ｄが停止する結果となり、ウィンドファーム１００の出力は急減することになり、電力系統に与える影響が大きいものとなる。
【００４４】
図８は、本実施例のファーム制御が実装された場合の、風速Ｖが停止風速Ｖ２（カットアウト風速）を超過する前後の時刻Ｔでのウィンドファーム１００の出力変化を示した図である。本実施例においては、指標としてウィンドファームの代表的な風速Ｖが停止風速Ｖ２（カットアウト風速）を超過したときには、先の比較例と同様に、４台の風車にそれぞれ設置された個別制御装置９が近い時間に集中して停止要望を送信する場合が考えられる。図１４で説明したように、同時に若しくは短時間に複数の停止要望を受信した場合、集中制御装置２０は順に許可指令を発信するため、複数の風車の停止タイミングがずれることになる。その結果、風力発電装置１ａ、１ｂ、１ｃ、１ｄは時系列的にＴ２、Ｔ４、Ｔ５、Ｔ６において順次停止され、ウィンドファーム全体としての発電量低下は略ステップ状に、風車の台数が多い場合は略ランプ状になる。
【００４５】
図１０は、本発明に係る集中制御装置２０の構成を示すブロック図である。図１０において、集中制御装置２０は、通信ネットワーク１５に接続されている送受信部（図示せず）と、記憶装置（図示せず）に接続されている制御部３１とを備え、制御部３１では、風力発電装置１ａ、１ｂ、１ｃ、１ｄ内の個別制御装置９が発した複数のシャットダウン要求ＳＴを処理する。ここでシャットダウン要求ＳＴ１、ＳＴ２、ＳＴ３、ＳＴ４は、それぞれ風力発電装置１ａ、１ｂ、１ｃ、１ｄ内の個別制御装置９ａ、９ｂ、９ｃ、９ｄが発したものとし、シャットダウン許可指令ＯＰ１、ＯＰ２、ＯＰ３、ＯＰ４は、それぞれ風力発電装置１ａ、１ｂ、１ｃ、１ｄ内の個別制御装置９ａ、９ｂ、９ｃ、９ｄに向けられたものとする。
【００４６】
制御部３１において、単に停止許可タイミングをずらす処理以上の制御として、許可を出す順番を所定のルールに基づき設定することができる。その場合、制御部３１におけるシャットダウン順序決定処理における具体的な処理内容は図１に例示されている。この処理は、以下の前提のもとに行われている。まず、風力発電装置のカットアウトは風力発電装置単機の自律的保護動作により行われるものであり、この点については説明済みである。また風力発電装置のカットアウトは、ウィンドファーム全体で、複数台が同時若しくは短時間に集中して発生し得る。さらに風力発電装置の風力発電装置単機は、安全率や経済性にマージンをもってカットアウト風速が設定されており、自機の状況（例えば疲労損傷度）によってカットアウト風速を超えた状態での運転継続が可能であり、遅延させても機器の長期運転上は問題がない、或は許容される。
【００４７】
図１のシャットダウン順序決定処理は、個別制御装置９が発したシャットダウン要求ＳＴを受信したことで起動される。図１の処理は、その起動後に適宜の周期で実行され、最初の処理ステップＳ２００では、個別制御装置９が発したシャットダウン要求ＳＴ（停止要望）を受信したときに処理ステップＳ２０１においてシャットダウン要求受信リストを作成する。また、既に他の個別制御装置９からシャットダウン要求ＳＴを受信していた場合は、リストに追加する。シャットダウン要求受信リストには、これを送信した個別制御装置９のＩＤ以外に個別制御装置９で検知した各種信号についての情報を含んでいてもよい。なお、風力発電装置１ａ、１ｂ、１ｃ、１ｄについての過去における運転実績などは、別途図示せぬ記憶装置に保持されており、制御部３１から適宜参照可能とされている。
【００４８】
図１の上記処理ステップＳ２００、Ｓ２０１によりシャットダウン要求受信リストには複数の風力発電装置１ａ、１ｂ、１ｃ、１ｄの個別制御装置９ａ、９ｂ、９ｃ、９ｄからシャットダウン要求ＳＴが受信されているものとする。本発明では、早いもの順に停止許可を決定することもできるが、複数のシャットダウン要求ＳＴが受信された状態で、次の処理ステップＳ２０２の処理を行う。
【００４９】
処理ステップＳ２０２では、複数のシャットダウン要求ＳＴに対して停止順番を決定していく。この時に停止順番リストを作成する。停止順番リストの決定手法については種々あり得るが、例えば風向を参照し、風上側から順番を決める。あるいは、稼働時期が早いものから順番を決める。あるいは、劣化度合いを考慮して順番を決める。あるいは過去の経験を参照することも可能である。あるいは、出力の大きいものを優先して順番を決める。なお停止順番は一度定めたら固定というわけではなく、そのときの環境条件などに応じて適宜に可変運用される。また、停止順番リストに従い停止許可を与えることになるが、すでに停止済みの風力発電装置１ａ、１ｂ、１ｃ、１ｄを停止順番リストから除外し、あるいはその後に停止許可を求めてきた場合に、その追加を行うとともに全体の順番を改めて見直すといった処理を行う。
【００５０】
次の段階では、風力発電装置１ａ、１ｂ、１ｃ、１ｄの個別制御装置９にシャットダウン許可指令ＯＰ１、ＯＰ２、ＯＰ３、ＯＰ４を送信する。この場合の処理には、集中制御装置２０が個々の風車の停止を逐次確認するように個別送信とする場合と、集中制御装置２０の処理負荷低減のため一斉送信とする場合が考えられる。処理ステップＳ２０３側には個別送信の事例を、処理ステップＳ２０７側には一斉送信の事例を記載している。
【００５１】
個別送信とする場合、処理ステップＳ２０３では作成した停止順番リストを参照し、最初に停止することにした風力発電装置１ａの個別制御装置９にシャットダウン許可指令ＯＰ１を送信し、処理ステップＳ２０４において、風力発電装置１ａの個別制御装置９から、その停止を実行し、完了したことの確認報告の受信を待つ。確認報告があった場合には、処理ステップＳ２０５において、停止順番リストを参照し全機停止確認を行い、まだ停止していない風力発電装置１が残っている場合には、処理ステップＳ２０６において停止順番リストを参照し、次に停止すべき風力発電装置１ｂの個別制御装置９を指定する。その後は再度処理ステップＳ２０３に戻り、風力発電装置１ｂの個別制御装置９を対象とする一連の処理を繰り返し実行する。処理ステップＳ２０５において全機停止が確認された場合には、ウィンドファーム１００を制御する集中制御装置２０におけるカットアウト風速超過時対応を完了する。
【００５２】
なお個別送信の上記手順によれば、順番のみを規定しているが、一つの個別制御装置９に停止許可を送信した後、次に停止する風力発電装置１にシャットダウン許可指令ＯＰを与える間の期間を規定し、タイミングなどを適宜調整することもできる。
【００５３】
また一斉送信とする場合、処理ステップＳ２０７では作成した停止順番リストを参照し、全ての風力発電装置１ａ、１ｂ、１ｃ、１ｄの個別制御装置９にシャットダウン許可指令ＯＰ１、ＯＰ２、ＯＰ３、ＯＰ４を送信する。この場合に停止順番リストには、風力発電装置１ａ、１ｂ、１ｃ、１ｄごとに停止開始時刻の情報が含まれている。例えば最初に停止を許可された風力発電装置１ａは、シャットダウン許可指令ＯＰ１の受信後の待ち時間がゼロに設定されており、即時停止開始してよいが、次に停止すべき風力発電装置１ｂは、シャットダウン許可指令ＯＰ２の受信後の待ち時間が１０分に設定されており、１０分経過後に停止開始作業に入ることが許可されている。
【００５４】
処理ステップＳ２０８では、先述の処理ステップＳ２０４と同様に、風力発電装置１の個別制御装置９から、その停止を実行し、完了したことの確認報告の受信を待つ。但し、この場合には、停止確認報告の受信時間帯が管理されるのがよい。例えば風力発電装置１ａ、１ｂの順に停止するときに、これらの間では１０分の時間間隔をおいて停止操作に入っていることから、例えば９分から１１分の時間帯の中で停止確認報告があることで一連の処理が確実に実行されていることが確認可能である。
【００５５】
確認報告があった場合には、処理ステップＳ２０９において、停止順番リストを参照し全機停止確認を行い、まだ停止していない風力発電装置１が残っている場合には、処理ステップＳ２０８に戻り、残された停止確認報告の管理を行う。なお、処理ステップＳ２０９において全機停止が確認された場合には、ウィンドファーム１００を制御する集中制御装置２０におけるカットアウト風速超過時対応を完了する。
【００５６】
なお、本実施例において、一斉送信する場合は、Ｓ２０９で全機停止したか確認する処理が入るように記載されているが、一斉送信した後、確認しなくてもよい。
【００５７】
図１で説明したように、風力発電装置１の個別制御装置９においては、事前の風況情報による順位付けではなく、Ｓ２００〜Ｓ２０２で風力発電装置１の各基においてシャットダウンが必要と要求を出した風力発電装置１のみについて、集中制御装置２０への報告と、許可を求めている。これにより、本発明の実施例による効果として、個別制御装置９が常に情報（シャットダウン関連情報）を送信する必要がなく、集中制御装置２０側も常に順番付けの演算負荷を要求しないという点を挙げることができる。
【００５８】
図１１は、上記した風力発電装置１の個別制御装置９と集中制御装置２０による協調動作を簡潔に記載したものである。これによれば、複数の風力発電装置１の個別制御装置９のいずれか少なくとも１つが、処理ステップＳ０１とＳ０２の処理を行う。処理ステップＳ０１では、風力発電装置におけるナセル風速がカットアウト風速以上であることを検出し、処理ステップＳ０２では、個別制御装置９から集中制御装置２０へシャットダウン要求ＳＴを送信する。
【００５９】
集中制御装置２０では、処理ステップＳ０３からＳ０６の処理を行う。処理ステップＳ０３では、集中制御装置がシャットダウン要求ＳＴを受信し、処理ステップＳ０４では、所定の時間周期毎にシャットダウン許可送信済みを除外したシャットダウン要求の受信リストを作成し、処理ステップＳ０５では集中制御装置がシャットダウン順序を決定、処理ステップＳ０６では集中制御装置が個別制御装置へシャットダウン許可ＯＰを送信する。この処理は要求した複数の風力発電装置１の個別制御装置９の全てについて処理が繰り返し実行される。なお、Ｓ０６で風力発電装置１の個別制御装置９への指令を行ったあとにＳ０４に戻らずに、新たに来たシャットダウン請求をリストに追加せず、一度作った所定期間分のリストについてシャットダウン許可信号を全て送信することもできる。
【００６０】
これを受けて最後に要求した複数の風力発電装置１の個別制御装置９では、処理ステップＳ０７、Ｓ０８の処理を行う。処理ステップＳ０７では集中制御装置からシャットダウン許可ＯＰを受信、処理ステップＳ０８では個別制御装置がシャットダウンを実施する。
【００６１】
図１１に示した本発明の実施例においては、集中制御装置２０においてあらかじめ設定された所定の周期を同時若しくは短時間と認定し、その周期の期間に来たシャットダウン要求を待ち行列（停止順番リスト）に格納し、リスト内で風力発電装置１に対する優先度に基づき順序を決定し、順次停止許可信号を返送している。同時若しくは所定の期間の停止順番リストに入っている風力発電装置１に対して、順序付けの処理が必ず入るため、ほぼ同時にシャットダウン要求が発生した場合であって、後から優先度が高い（例えば累積損傷度が高い）風力発電装置１がシャットダウンを要求した場合に、優先度が高い風車を優先してシャットダウンさせること（割り込み処理）と、複数の風力発電装置１の集中したシャットダウン回避が両立できるという効果を奏することができる。発電量変化率等の条件を満たした場合のみ順序付けの処理が入る場合に比べ、所定短期間に来たシャットダウン要求同士で順序付け処理を入れることで、発電量変動を抑制したり風車を寿命制御の調整効果を向上することができる。
【実施例２】
【００６２】
図１２は、本発明の実施例２に係る集中制御装置２０の構成を示すブロック図である。実施例２では、複数の風力発電装置１における過去の運転経験などに基づく、疲労評価結果を停止順番作成に反映させることについて説明する。図１２は、基本的には図１０の構成において、入力信号として、各風力発電装置１がシャットダウン要求ＳＴに付与して送信してきた疲労評価結果Ｍの情報を加味している。
【００６３】
図１２において、集中制御装置２０は、通信ネットワーク１５に接続されている送受信部（図示せず）と、記憶装置（図示せず）に接続されている制御部４１とを備え、制御部４１では、風力発電装置１ａ、１ｂ、１ｃ、１ｄ内の個別制御装置９が発した複数のシャットダウン要求ＳＴと、これに付随して送信されてきた疲労評価結果Ｍの情報を処理する。ここでシャットダウン要求ＳＴ１、ＳＴ２、ＳＴ３、ＳＴ４と、疲労評価結果Ｍ１、Ｍ２、Ｍ３、Ｍ４は、それぞれ風力発電装置１ａ、１ｂ、１ｃ、１ｄ内の個別制御装置９ａ、９ｂ、９ｃ、９ｄが発したものとし、シャットダウン許可指令ＯＰ１、ＯＰ２、ＯＰ３、ＯＰ４は、それぞれ風力発電装置１ａ、１ｂ、１ｃ、１ｄ内の個別制御装置９ａ、９ｂ、９ｃ、９ｄに向けられたものとする。
【００６４】
この場合に、基本的な処理手順は実施例１で述べた内容と同様だが、停止順序を設定するときに、疲労評価結果Ｍの情報を参照し、疲弊している風力発電装置１については早いタイミングで停止するようにする。具体的には、同時若しくは所定期間に集中制御装置２０が受信し、リスト化したシャットダウン要求リストを順序付けする際に、同時に送信されてきた疲労評価結果Ｍの値を比較し、疲労評価結果Ｍの大きい風車を上位の順序に設定する。カットアウト風速以上でシャットダウン要求を待機された状態で運転継続することは、すぐに停止する場合に比較して風車に負荷を与えることになる。上述の制御により、ウィンドファーム全体における複数の風力発電装置について、同じ程度の寿命となるように調整することができる。また、メンテのタイミングに合わせて余寿命を調整するように停止順番を定めることもできる。
【００６５】
ウィンドファーム全体の発電量変動の調整を最優先し、個々の風車の発電状況等に基づきシャットダウン要求の順序付けをすると、風力発電装置１が設置された土地の風況傾向等により結果的に決まった風車に停止優先順が偏る可能性があり、疲労が集中する可能性があるが、本実施例の処理により調整することができる。
【００６６】
ここで、本発明の実施例２では、停止順番作成のために寿命管理の観点から行う事を提案しており、寿命を具体的にどのようにして求めるのかはその本旨ではないが、風力発電装置１の寿命を推定する手法について、例えば特開２０１５−１１７６８２号公報、「風車工学入門」牛山泉著、第２版、森北出版、２０１３年８月１３日発行、Ｐ８１−９８に記載されている技術を用いて実現が可能である。
【実施例３】
【００６７】
実施例１では、集中制御装置２０側で停止順番と待ち時間などを設定した事例を述べているが、ここでは風力発電装置１内の個別制御装置９がシャットダウン要求を送信する際に、シャットダウン許可待ち時間を、同時に集中制御装置２０側に送信する。
【００６８】
図１３は、実施例３における風力発電装置１の個別制御装置９と、集中制御装置２０による協調動作を簡潔に記載したものである。これによれば、複数の風力発電装置１の個別制御装置９のいずれか１つが、処理ステップＳ０１と、Ｓ０９とＳ０２Ａの処理を行う。処理ステップＳ０１では、風力発電装置１におけるナセル風速がカットアウト風速以上であることを検出し、処理ステップＳＳ０９では、待ち時間Ｔｗ（シャットダウン予定時刻、若しくは遅延時間）を設定する。待ち時間Ｔｗ（シャットダウン予定時刻）の設定に当たっては、ランダムに発生させたものでもよいが、疲労状況や風況予測に基づき停止待機ができる限界時間を個別制御装置９が判断し設定することができる。遅延時間がずれることにより複数台の同時停止を抑制することができる。処理ステップＳＳ０２Ａでは、個別制御装置９から集中制御装置２０へシャットダウン要求ＳＴと遅延時間Ｔｗを送信する。
【００６９】
集中制御装置２０では、処理ステップＳ０３、Ｓ０４、Ｓ０５Ａ、Ｓ０６の処理を行う。処理ステップＳ０３では、集中制御装置がシャットダウン要求ＳＴを受信し、処理ステップＳ０４では、所定の時間周期毎にシャットダウン許可送信済みを除外したシャットダウン要求の受信リストを作成し、処理ステップＳ０５Ａでは集中制御装置がシャットダウン順序を決定するがこの時に待ち時間Ｔｗ（シャットダウン予定時刻）を優先した順番に決定する。処理ステップＳ０６では集中制御装置が個別制御装置へシャットダウン許可ＯＰを送信する。この処理は要求した複数の風力発電装置１の個別制御装置９の全てについて処理が繰り返し実行される。
【００７０】
これを受けてシャットダウン要求をした複数の風力発電装置１の個別制御装置９では、処理ステップＳ０７、Ｓ０８、Ｓ１０の処理を行う。処理ステップＳ０７で、遅延時間以内に集中制御装置２０からシャットダウン許可ＯＰを受信できた場合は、処理ステップＳ０８で個別制御装置がシャットダウンを実施する。許可を受けてシャットダウンする場合は、シャットダウン許可が来たタイミングで停止動作を開始してもよいし、設定した遅延時間を経過した後に停止動作を開始してもよい。一方、集中制御装置や通信ケーブルが機能せず、若しくは多数の風力発電装置がシャットダウン要求をしたために、個別制御装置９が設定した遅延時間が経過する前にシャットダウン許可信号を受信することができなかった場合は、処理ステップＳ１０で遅延時間の経過を検知し、処理ステップＳＳ０９で生成した遅延時間だけ遅延した状態で、処理ステップＳ０８の処理を行う。
【００７１】
本発明の実施例３によれば、シャットダウンの停止順序を風力発電装置１の個別制御装置９側の要求のみで付与でき、集中制御装置２０側に順序を決定するロジックに関する制御負荷を省略することができる。また、万が一集中制御装置２０に不具合が生じた場合であったとしても、各風力発電装置１が要求する時間以内にシャットダウンを開始することができる。
【００７２】
ウィンドファームの集中制御装置でシャットダウンが必要なものを、事前に収集した情報で決めて停止指示することもできるが、各風力発電装置１において、シャットダウンタイミングを判断し要求することができるようにすることで、安全性を向上させることができる。シャットダウンは風力発電装置１個別の安全機能であるためである。
【実施例４】
【００７３】
実施例４として、以下に本発明の各種変形事例を説明する。
【００７４】
まず、上記実施例ではカットアウト風速超過の判定を風力発電装置１の個別制御装置９で行い、集中制御装置２０に対しては風向風速の情報及び／若しくは停止要望を送信することにしていた。この点に関し、カットアウト風速超過の判定を集中制御装置２０で行うものであってもよい。この場合には停止要望を送信することに代えて、風向風速についての数値情報を送信し、集中制御装置２０で閾値との比較を行う事になる。この場合に風向風速の情報とは、計測した数値情報（平均化した情報を含む）であり、あるいは数値情報を閾値（カットアウト風速）と比較した結果の判断情報を意味している。
【００７５】
またこのときに、風力発電装置１の個別制御装置９から十分な情報を入手しているという前提で、疲労評価結果の演算や、待ち時間の作成手順などを集中制御装置２０側で行うものであってもよい。
【００７６】
カットアウト風速超過の判定を集中制御装置２０で行う場合、順序に応じて風車ごとにカットアウト風速の設定を異ならしめることで停止タイミングをずらすこともできる。順序を余寿命／診断した風車の劣化状況に応じて設定する場合は、残り余寿命が長い／劣化度が低い風車ほどカットアウト風速を低く設定する。
【００７７】
図９は、上述のようなカットアウト風速を風力発電装置ごとに異ならしめる場合の、ウィンドファーム１００における複数風力発電装置での合成出力特性を示す図である。風速Ｖが停止風速Ｖ２（カットアウト風速）を超過すると、風速Ｖが上昇するにしたがって、集中制御装置２０の指令に基づき指定された順に風力発電装置１ａ、１ｂ、１ｃ、１ｄが停止されていく。風速Ｖが徐々に上昇していくような場合においては、カットアウト風速が低い風車から順番にシャットダウン許可されるため、同時に若しくは短時間に集中した風車の停止が抑制され、ウィンドファームの合計出力の変動を抑制することができる。
【符号の説明】
【００７８】
１ａ、１ｂ、１ｃ、１ｄ：風力発電装置
２：ブレード
３：ハブ
４：ロータ
５：ナセル
６：発電機
７：ピッチ角制御部
８：タワー
９ａ、９ｂ、９ｃ、９ｄ：個別制御装置
１０：回転速度検出器
１１：風況計
１５：通信ネットワーク
１６：ブレーキ装置
１７：停止指令
２０：集中制御装置
３０：需要家
４０：所内変電設備
５０：電力系統
９０：送電線
１００：ウィンドファーム
Ｐａ、Ｐｂ、Ｐｃ、Ｐｄ：発電出力
【図１】
2019074066.tif 000003
【図２】
2019074066.tif 000004
【図３】
2019074066.tif 000005
【図４】
2019074066.tif 000006
【図５】
2019074066.tif 000007
【図６】
2019074066.tif 000008
【図７】
2019074066.tif 000009
【図８】
2019074066.tif 000010
【図９】
2019074066.tif 000011
【図１０】
2019074066.tif 000012
【図１１】
2019074066.tif 000013
【図１２】
2019074066.tif 000014
【図１３】
2019074066.tif 000015
【図１４】
2019074066.tif 000016